(57)【要約】【課題】  人の操作により不在状態から在室状態へ切り替わったものなのか、生活状況センサーにより不在状態から在室状態へ切り替わったものなのかを管理人が区別できるようにする。【解決手段】  動作モードが在室モードである場合に、タイマー部１４が計測した時間が所定時間に達したときに、居住者に異常が発生したことを報知部１６により報知するとともに、タイマー部１４が計測した時間が所定時間に達していないときに、住宅内に設置されている生活状況センサー２によって居住者の生活状況が検出されると、タイマー部１４をリセットする。また、動作モードが不在モードである場合に、生活状況センサー２によって居住者の生活状況が検出されたときには、制御部１１は切替部１３を制御して、動作モードが在室モードへ切り替えられる。また、生活状況センサー２によって動作モードが在室モードへ切り替わったことが管理人に通知部１５にて通知される。【選択図】        図１
2013097406.tif 000002
【特許請求の範囲】
【請求項１】
住宅内の居住者の生活状況を検出した場合に検出信号を出力する生活状況センサーと、
前記住宅内に居住者が在室している在室モードと前記住宅内に居住者が在室していない不在モードとを相互に切り替え可能であり、前記在室モードへ切り替えるための操作が行われた場合に在室信号を出力し、前記不在モードへ切り替えるための操作が行われた場合に不在信号を出力する操作装置と、
前記生活状況センサーから検出信号を入力するとともに、前記操作装置から在室信号および不在信号を入力するインターフェース部と、前記居住者に異常が発生したことを報知する報知部と、時間を計測するタイマー部と、前記生活状況センサーによって在室モードへ切り替わっていることを通知する通知部と、前記インターフェース部が不在信号を入力した前記不在モードで、前記インターフェース部が在室信号を入力したか検出信号を入力したかを判定し、前記不在モードで前記インターフェース部が在室信号を入力した場合に、前記タイマー部を動作させるとともに、前記タイマー部が計測した時間が所定時間以上になったか否かを判定し、前記タイマー部が計測した時間が所定時間以上になったと判定したときに前記報知部を動作させ、前記タイマー部が計測した時間が所定時間以上になっていないと判定したときに、前記インターフェース部が検出信号を入力すると、前記タイマー部をリセットさせ、前記タイマー部が計測した時間が所定時間以上になっていないと判定したときに、前記インターフェース部が不在信号を入力すると、前記タイマー部の動作を停止させて、前記不在モードで、前記インターフェース部が検出信号を入力した場合に、前記タイマー部を動作させるとともに、前記通知部を動作させる制御部とを有する親機と、
を備えたことを特徴とする住宅監視システム。
【発明の詳細な説明】
【技術分野】
【０００１】
本発明は、住宅に居住する居住者を監視するための住宅監視システムに関する。
【背景技術】
【０００２】
従来、核家族化などの進行により、高齢者のみが居住する住宅が増えている。また、このような高齢者が居住する住宅を集めて、管理人室で管理する集合住宅が知られている。このような集合住宅において、住宅に在室している高齢者の動きをセンサーなどにより検知し、センサーによる検知ができない時間が所定時間以上になった場合に、居住者に異常があったと判断して管理人室で警報を発する技術が知られている（例えば、特許文献１など）。
【０００３】
特許文献１に記載の集合住宅監視装置では、部屋の外部からの施錠を検出しない場合、または、外部からの施錠を検出してから人体の動きを検出する生活センサーによる検知があった場合に居住者が在室状態であると判断している。そして、居住者が在室状態である場合に生活センサーによる検知の無い時間が所定時間以上になったときに、居住者に異常があると判断して管理人室で警報を発するようにしている。
【０００４】
また、特許文献１に記載の集合住宅監視装置では、管理人室に設置されている表示部が、不在状態から在室状態へ切り替わったこと、または、在室状態から不在状態へ切り替わったことを居住者が居住する部屋の部屋番号とともに表示するようにしている。また、特許文献１に記載の集合住宅監視装置では、不在状態で外部からの解錠が検出された場合や不在状態で人体の動きが検出された場合に、表示部は在室状態へ切り替わったことを表示するようにしている。
【０００５】
しかしながら、特許文献１に記載の技術では、表示部が単に不在状態から在室状態へ切り替わったことを表示しているだけなので、表示を見た管理人は、その理由が部屋の外部からの解錠を検出したことなのか、人体の動きを検出したことなのかを区別することができないという問題があった。ところで、生活センサーによる人体の動きの検出は、部屋の外部からの解錠の検出に比べて誤動作が多い。そのため、管理人が両者を区別することができないと、生活センサーの誤動作による誤報が発生することがあった。
【先行技術文献】
【特許文献】
【０００６】
【特許文献１】特開２００７−１７２４３８号公報
【発明の概要】
【発明が解決しようとする課題】
【０００７】
本発明は、このような問題を解決するために成されたものであり、居住者が住宅に在室している状態で、居住者の動きを検出していない時間が所定時間以上になった場合に、居住者に異常が発生していることを報知する住宅監視システムにおいて、人の操作により不在状態から在室状態へ切り替わったものなのか、生活状況センサーにより不在状態から在室状態へ切り替わったものなのかを管理人が区別できるようにすることを目的とする。
【課題を解決するための手段】
【０００８】
上述した課題を解決するために、本発明の住宅監視システムでは、居住者の生活状況を検出する生活状況センサーを住宅内に設置し、居住者が住宅に在室している在室モードと居住者が住宅に在室していない不在モードとを相互に切り替え操作可能として、在室モードである場合に、タイマー部が計測した時間が所定時間以上になったときに、居住者に異常が発生したことを報知するとともに、タイマー部が計測した時間が所定時間以上になっていないときに、生活状況センサーによって生活状況が検出されると、タイマー部をリセットするようにしている。また、不在モードである場合に、生活状況センサーによる生活状況の検出が行われたときには、在室モードへ切り替えるとともに、生活状況センサーによって在室モードへ切り替わったことを通知するようにしている。
【発明の効果】
【０００９】
上記のように構成した本発明によれば、不在モードで、生活状況センサーによる生活状況の検出が行われた場合に、生活状況センサーによって在室モードへ切り替わったことが管理人に通知されるので、管理人は、人の操作により不在モードから在室モードへ切り替わったのか、生活状況センサーにより不在モードから在室モードへ切り替わったのかを区別することができる。従って、通知を把握した管理人は、生活状況センサーにより在室モードへ切り替わった住宅に対して居住者が存在するか否かなどの確認を行うことができ、生活状況センサーが誤動作しても適切に対応することができるようになるので、誤報の発生をできるだけ防止することができる。
【図面の簡単な説明】
【００１０】
【図１】本実施形態による住宅監視システムの構成例を示すブロック図である。
【図２】本実施形態による住宅監視システムの施解錠操作装置および生活状況センサーを適用した住宅の状態例を示す図（その１）である。
【図３】本実施形態による住宅監視システムの施解錠操作装置および生活状況センサーを適用した住宅の状態例を示す図（その２）である。
【図４】本実施形態による住宅監視システムの親機の動作を示すフローチャートである。
【発明を実施するための形態】
【００１１】
以下、本発明の一実施形態を図面に基づいて説明する。図１は、本実施形態による住宅監視システムの構成例を示すブロック図である。同図に示すように、本実施形態による住宅監視システムは、施解錠操作装置１（特許請求の範囲の操作装置に該当する）、生活状況センサー２、親機１０を備えて構成されている。また、図２は、本実施形態による住宅監視システムの施解錠操作装置１および生活状況センサー２を適用した住宅の状態例を示す図である。
【００１２】
図１および図２において、施解錠操作装置１は、住宅の玄関に設置されている玄関扉を解錠したり施錠したりするための電気錠などにより構成されており、その玄関扉に対して手動で解錠操作を行ったり施錠操作を行ったりするためのものである。図２（ａ）に示すように、施解錠操作装置１は、居住者などが住宅の外部から解錠したり施錠したりすることができるように、玄関扉の外側に設置されている。ここで、施解錠操作装置１は、伝送線を介して親機１０に接続されている。また、施解錠操作装置１は、解錠操作が行われると、親機１０の動作モードを在室モードへ切り替えるための在室信号を生成して親機１０へ出力する。また、施解錠操作装置１は、施錠操作が行われると、親機１０の動作モードを不在モードへ切り替えるための不在信号を生成して親機１０へ出力する。また、在室モードとは、居住者が住宅に在室しており、その居住者の動きを監視する状態であることを示す動作モードである。また、不在モードとは、居住者が住宅に在室しておらず、その居住者の動きを監視しない状態であることを示す動作モードである。
【００１３】
生活状況センサー２は、人体の動きを検出するパッシブセンサーなどにより構成されており、住宅内の居住者の生活状況を検出するためのものである。図２（ａ）に示すように、生活状況センサー２は、住宅に居住する居住者が生活する際に定期的に通る場所（例えば、住宅内の廊下など）の天井に設置されており、その場所の全域を検出範囲としている。ここで、生活状況センサー２は、伝送線を介して親機１０に接続されている。また、生活状況センサー２は、検出範囲内の人体の動きを検出すると、検出信号を生成して親機１０へ出力する。
【００１４】
親機１０は、管理人の常駐する部屋（例えば、管理人室など）に設置されており、居住者に異常が発生していることを報知したり、生活状況センサー２により親機１０の動作モードが切り替わったことを通知したりするために使用される。ここで、居住者に異常が発生していることとは、何らかの理由により居住者が住宅内で動けなくなっていることを示す。また、親機１０は、制御部１１、インターフェース部（以下、Ｉ／Ｆ部と記載する）１２、切替部１３、タイマー部１４、通知部１５、報知部１６、復旧操作部１７を備えて構成されている。
【００１５】
親機１０の制御部１１は、ＣＰＵ（Ｃｅｎｔｒａｌ  Ｐｒｏｃｅｓｓｉｎｇ  Ｕｎｉｔ）などにより構成されており、親機１０の各構成要素を後述するように制御する。Ｉ／Ｆ部１２は、親機１０に施解錠操作装置１、生活状況センサー２を接続して通信を行う。ここで、Ｉ／Ｆ部１２は、施解錠操作装置１から出力された在室信号および不在信号を入力するとともに、生活状況センサー２から出力された検出信号を入力する。
【００１６】
切替部１３は、在室モードおよび不在モードの何れかに親機１０の動作モードを切り替えるためのものである。ここで、動作モードは住宅毎に切り替えられる。また、切替部１３にて動作モードが不在モードから在室モードへ切り替わると、親機１０は、住宅に在室する居住者の動きの監視を開始する。一方、切替部１３にて動作モードが在室モードから不在モードへ切り替わると、親機１０は、居住者の動きの監視を停止する。
【００１７】
タイマー部１４は、時間を計測するためのものである。通知部１５は、動作モードが生活状況センサー２によって在室モードへ切り替わっていることを通知するためのものである。また、通知部１５は、スピーカーや表示灯、表示装置などにより構成されている。ここで、通知部１５は、管理人が聴覚や視覚により動作モードが生活状況センサー２によって在室モードへ切り替わっていることを把握することができるように、スピーカーから音声を出力したり、表示灯を点灯または点滅をさせたり、表示装置に表示を行わせたりして通知を行う。
【００１８】
報知部１６は、居住者に異常が発生していることを報知するためのものである。また、報知部１６は、スピーカーや表示灯、表示装置などにより構成されている。ここで、報知部１６は、管理人が視覚や聴覚により居住者に異常が発生していることを把握することができるように、スピーカーから音声を出力したり、表示灯を点灯または点滅をさせたり、表示装置に表示を行わせたりして報知を行う。また、通知部１５による通知のパターンと報知部１６による報知のパターンとは異ならせている。復旧操作部１７は、ボタンなどにより構成されており、報知部１６による報知を停止するために操作される。報知部１６による報知が行われている状態で、復旧操作部１７が操作されると、制御部１１は報知部１６の動作を停止させる。
【００１９】
居住者が入居する前の初期状態では、切替部１３は動作モードを不在モードへ切り替えている。この状態で、制御部１１は、Ｉ／Ｆ部１２が施解錠操作装置１から出力された在室信号を入力したか否かを判定する処理、および、Ｉ／Ｆ部１２が生活状況センサー２から出力された検出信号を入力したか否かを判定する処理を行っている。Ｉ／Ｆ部１２が在室信号を入力すると、制御部１１は切替部１３を制御して、動作モードを在室モードへ切り替える。それに併せて、制御部１１はタイマー部１４を動作させて、タイマー部１４は時間の計測を開始する。
【００２０】
タイマー部１４が時間の計測を開始すると、制御部１１は、タイマー部１４が計測した時間が所定時間に達したか否かを判定する処理を行う。ここで、所定時間とは、居住者が生活する際に生活状況センサー２の設置場所を通るべき間隔よりも長い時間（例えば、５時間など）である。タイマー部１４が計測した時間が所定時間に達したと制御部１１にて判定した場合に、制御部１１は報知部１６を動作させ、報知部１６は報知を行う。一方、タイマー部１４が計測した時間が所定時間に達していないと制御部１１にて判定した場合に、制御部１１は、Ｉ／Ｆ部１２が生活状況センサー２から出力された検出信号を入力したか否かを判定する処理、および、Ｉ／Ｆ部１２が施解錠操作装置１から出力された不在信号を入力したか否かを判定する処理を行う。
【００２１】
Ｉ／Ｆ部１２が検出信号を入力したと制御部１１にて判定した場合に、制御部１１はタイマー部１４によって計測している時間をリセットする。また、Ｉ／Ｆ部１２が不在信号を入力すると、制御部１１は切替部１３を制御して、動作モードを不在モードへ切り替える。それに併せて、制御部１１はタイマー部１４の動作を停止させる。
【００２２】
また、居住者が入居する前の初期状態や、Ｉ／Ｆ部１２が不在信号を入力した状態では、動作モードが不在モードに切り替わっている。この状態で、Ｉ／Ｆ部１２が検出信号を入力すると、制御部１１は切替部１３を制御して、動作モードを在室モードへ切り替える。それに併せて、制御部１１はタイマー部１４および通知部１５を動作させて、タイマー部１４は時間の計測を開始し、通知部１５は動作モードが生活状況センサー２によって在室モードへ切り替わっていることを通知する。
【００２３】
このように構成されている住宅監視システムの具体的な動作を図２および図３を用いて説明する。ここで、住宅には二人の居住者（居住者Ａ、居住者Ｂ）が居住しているものとする。また、居住者が生活している部屋と居住者が定期的に使用するであろうトイレとの間には廊下があり、廊下には玄関扉がある。また、生活状況センサー２は、廊下の天井に設置されており、施解錠操作装置１は、玄関扉の外側に設置されている。図２（ａ）に示すように、居住者Ａが部屋に居る状態で、居住者Ｂが外出するために住宅を出て、居住者Ｂが施解錠操作装置１を操作して玄関扉を施錠すると、施解錠操作装置１は不在信号を生成して親機１０へ出力する。親機１０では、Ｉ／Ｆ部１２が不在信号を入力し、制御部１１は切替部１３を制御して、動作モードを不在モードへ切り替える。それに併せて、制御部１１はタイマー部１４の動作を停止させる。
【００２４】
この状態で、図２（ｂ）に示すように、部屋に居た居住者Ａがトイレへ行くために廊下を通過すると、生活状況センサー２は居住者Ａの動きを検出して検出信号を生成し、親機１０へ出力する。親機１０では、Ｉ／Ｆ部１２が検出信号を入力し、制御部１１は切替部１３を制御して、動作モードを在室モードへ切り替える。それに併せて、制御部１１はタイマー部１４および通知部１５を動作させて、タイマー部１４は時間の計測を開始し、通知部１５は動作モードが生活状況センサー２によって在室モードへ切り替わっていることを通知する。
【００２５】
通知を把握した管理人は、動作モードが在室モードへ切り替わった住宅に直接訪問したり、図示しないインターホンなどを使用してその住宅に居る居住者を呼び出したりして、動作モードが在室モードへ切り替わった住宅内に居住者Ａが居ることを確認する。そして、管理人は、動作モードを在室モードのままにしておく。
【００２６】
タイマー部１４が計測した時間が所定時間に達していない状態で、居住者Ａが廊下を通過すると、生活状況センサー２は居住者Ａの動きを検出して検出信号を生成し、親機１０へ出力する。親機１０では、Ｉ／Ｆ部１２が検出信号を入力し、制御部１１はタイマー部１４によって計測している時間をリセットする。一方、図２（ｃ）に示すように、在室モードのままの状態で、居住者Ａが部屋内で倒れたままタイマー部１４が計測した時間が所定時間に達すると、制御部１１は報知部１６を動作させ、報知部１６は報知を行う。
【００２７】
次に、図３（ａ）に示すように、居住者Ｂが外出している状態で、居住者Ａが外出するために住宅を出て、居住者Ａが施解錠操作装置１を操作して玄関扉を施錠すると、施解錠操作装置１は不在信号を生成して親機１０へ出力する。親機１０では、Ｉ／Ｆ部１２が不在信号を入力し、制御部１１は切替部１３を制御して、動作モードを不在モードへ切り替える。それに併せて、制御部１１はタイマー部１４の動作を停止させる。
【００２８】
この状態で、図３（ｂ）に示すように、ペットが廊下を通過すると、生活状況センサー２はペットの動きを検出して検出信号を生成し、親機１０へ出力する。親機１０では、Ｉ／Ｆ部１２が検出信号を入力し、制御部１１は切替部１３を制御して、動作モードを在室モードへ切り替える。それに併せて、制御部１１はタイマー部１４および通知部１５を動作させて、タイマー部１４は時間の計測を開始し、通知部１５は動作モードが生活状況センサー２により在室モードへ切り替わっていることを通知する。
【００２９】
通知を把握した管理人は、動作モードが在室モードへ切り替わった住宅に直接訪問したり、インターホンなどを使用してその住宅に居る居住者を呼び出したりして、動作モードが在室モードへ切り替わった住宅内に居住者Ａおよび居住者Ｂが居ないことを確認する。すると、管理人は、住宅状況センサー２が誤動作したと判断して、親機１０に設けられており、動作モードを不在モードへ強制的に切り替えるための操作部（図示せず）を操作する。すると、制御部１１は切替部１３を制御して、動作モードを不在モードへ強制的に切り替える。これにより、タイマー部１４による時間の計測が行われなくなるので、住宅に誰も居ない状態で報知部１６が報知を行ってしまうことがなくなる。
【００３０】
次に、本実施形態による住宅監視システムの親機１０の動作を説明する。図４は、本実施形態による住宅監視システムの親機１０の動作を示すフローチャートである。まず、居住者が入居する前の初期状態では、切替部１３は動作モードを不在モードへ切り替えている。この状態で、制御部１１は、Ｉ／Ｆ部１２が施解錠操作装置１から出力された在室信号を入力したか否かを判定する（ステップＳ１）。ここで、居住者が入居する場合には、施解錠操作装置１が解錠操作される。そのため、在室信号を入力したと制御部１１にて判定した場合には（ステップＳ１にてＹＥＳ）、制御部１１は、切替部１３を制御して動作モードを在室モードへ切り替え、タイマー部１４を動作させて時間の計測を開始する（ステップＳ２）。そして、ステップＳ５の処理へ移行する。
【００３１】
一方、在室信号を入力していないと制御部１１にて判定した場合には（ステップＳ１にてＮＯ）、制御部１１は、Ｉ／Ｆ部１２が生活状況センサー２から出力された検出信号を入力したか否かを判定する（ステップＳ３）。検出信号を入力していないと制御部１１にて判定した場合には（ステップＳ３にてＮＯ）、ステップＳ１の処理へ戻る。一方、検出信号を入力したと制御部１１にて判定した場合には（ステップＳ３にてＹＥＳ）、制御部１１は、切替部１３を制御して動作モードを在室モードへ切り替え、タイマー部１４を動作させて時間の計測を開始し、通知部１５を動作させて動作モードが生活状況センサー２によって在室モードへ切り替わっていることを通知する（ステップＳ４）。そして、ステップＳ５の処理へ移行する。
【００３２】
ステップＳ５において、制御部２は、タイマー部１４が計測した時間が所定時間に達したか否かを判定する。タイマー部１４が計測した時間が所定時間に達していないと制御部１１にて判定した場合には（ステップＳ５にてＮＯ）、ステップＳ９の処理へ移行する。一方、タイマー部１４が計測した時間が所定時間に達したと制御部１１にて判定した場合には（ステップＳ５にてＹＥＳ）、制御部１１は報知部１６を動作させ、報知部１６は報知を行う（ステップＳ６）。そして、制御部１１は、復旧操作部１７が操作されたか否かを判定する（ステップＳ７）。復旧操作部１７が操作されていないと制御部１１にて判定した場合には（ステップＳ７にてＮＯ）、ステップＳ７の処理を繰り返す。一方、復旧操作部１７が操作されたと制御部１１にて判定した場合には（ステップＳ７にてＹＥＳ）、制御部１１は報知部１６の動作を停止させる（ステップＳ８）。そして、ステップＳ９の処理へ移行する。
【００３３】
ステップＳ９において、制御部１１は、Ｉ／Ｆ部１２が生活状況センサー２から出力された検出信号を入力したか否かを判定する。検出信号を入力したと制御部１１にて判定した場合には（ステップＳ９にてＹＥＳ）、制御部１１はタイマー部１４によって計測している時間をリセットし（ステップＳ１０）、ステップＳ５の処理へ戻る。一方、検出信号を入力していないと制御部１１にて判定した場合には（ステップＳ９にてＮＯ）、制御部１１は、Ｉ／Ｆ部１２が施解錠操作装置１から出力された不在信号を入力したか否かを判定する（ステップＳ１１）。
【００３４】
不在信号を入力していないと制御部１１にて判定した場合には（ステップＳ１１にてＮＯ）、ステップＳ５の処理へ戻る。一方、不在信号を入力したと制御部１１にて判定した場合には（Ｓ１１にてＹＥＳ）、制御部１１は、切替部１３を制御して動作モードを不在モードへ切り替え、タイマー部１４の動作を停止させる（ステップＳ１２）。
【００３５】
以上、詳しく説明したように、本実施形態の住宅監視システムでは、動作モードが在室モードである場合に、タイマー部１４が計測した時間が所定時間に達したと制御部１１にて判定したときに、居住者に異常が発生したことを報知部１６により報知するとともに、タイマー部１４が計測した時間が所定時間に達していないと制御部１１にて判定したときに、住宅内に設置されている生活状況センサー２によって居住者の生活状況が検出されると、タイマー部１４をリセットするようにしている。また、不在モードである場合に、生活状況センサー２による居住者の生活状況の検出が行われたときには、制御部１１は切替部１３を動作させ、生活状況センサー２によって動作モードが在室モードへ切り替わったことを通知するようにしている。
【００３６】
これにより、不在モードで、生活状況センサー２による生活状況の検出が行われた場合に、生活状況センサー２によって在室モードへ切り替わったことが管理人に通知されるので、管理人は、居住者の施解錠操作装置１の操作により不在モードから在室モードへ切り替わったのか、生活状況センサー２により不在モードから在室モードへ切り替わったのかを区別することができる。従って、通知を把握した管理人は、生活状況センサー２により在室モードへ切り替わった住宅に対して居住者が存在するか否かなどの確認を行うことができ、生活状況センサー２が誤動作しても適切に対応することができるようになるので、報知部１６による誤報の発生をできるだけ防止することができる。
【００３７】
なお、前述した実施形態では、生活状況センサー２によって動作モードが在室モードへ切り替わっていることのみを通知部１５によって通知するようにしているが、これに限定されない。例えば、施解錠操作装置１の操作によって動作モードが在室モードへ切り替わっていることや、動作モードが不在モードへ切り替わっていることを通知部１５によって通知するようにしても良い。この場合、通知部１５の動作パターンは、生活状況センサー２によって動作モードが在室モードへ切り替わっていることと、施解錠操作装置１の操作によって動作モードが切り替わっていることとを区別する必要がある。
【００３８】
また、前述した実施形態では、生活状況センサー２は、パッシブセンサーにより構成されているが、これに限定されない。例えば、生活状況センサー２が、居住者が一定の頻度で使用するトイレや水道などの水の使用状態を検出する水量センサーや、住宅内の部屋や廊下などに設置され、住宅内を定期的に移動する際の居住者に踏まれることで人体の動きを検出するシート状センサーなどにより構成されるようにしても良い。
【００３９】
また、前述した実施形態では、住宅内に生活状況センサー２を一台だけ設置しているが、これに限定されない。例えば、住宅内に生活状況センサー２を二台以上設置するようにしても良い。これにより、居住者の生活状況を精度を上げて検出することができる。
【００４０】
また、前述した実施形態では、施解錠操作装置１および生活状況センサー２を備えている住宅が一戸のみであるが、これに限定されない。例えば、施解錠操作装置１および生活状況センサー２を備えている住宅が複数存在するようにしても良い。この場合、報知部１６が報知を行う際に、異常が発生している居住者の居る住宅を管理人が特定することができるように、各住宅内に設置される施解錠操作装置１から出力される在室信号および不在信号に施解錠操作装置１が設置されている住宅を他の住宅と識別するための識別情報を付加するとともに、生活状況センサー２から出力される検出信号に生活状況センサー２が設置されている住宅を他の住宅と識別するための識別情報を付加する必要がある。
【００４１】
また、前述した実施形態では、施解錠操作装置１は玄関扉に設置されているが、これに限定されない。例えば、施解錠操作装置１が親機１０に設けられるようにしても良い。この場合、施解錠操作装置１は、玄関扉および親機１０に設けられるようにしても良いし、親機１０のみに設けられるようにしても良い。
【００４２】
また、前述した実施形態では、動作モードの切り替えは、施解錠操作装置１による施錠操作および解錠操作によって行われているが、これに限定されない。例えば、居住者が外出する際に在室モードから不在モードへ切り替え、居住者が帰宅した際に不在モードから在室モードへ切り替える操作装置を住宅内や管理人室に設置するようにしても良い。
【００４３】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００４４】
１    施解錠操作装置
２    生活状況センサー
１０    親機
１１    制御部
１２    インターフェース（Ｉ／Ｆ）部
１３    切替部
１４    タイマー部
１５    通知部
１６    報知部
１７    復旧操作部
【図１】
2013097406.tif 000003
【図２】
2013097406.tif 000004
【図３】
2013097406.tif 000005
【図４】
2013097406.tif 000006